(57)【要約】【課題】ケースの全体的な幅を狭くすることができる圧電トランス装置を提供する。【解決手段】圧電トランス本体１と、圧電トランス本体１を取り付けるための取付け板１１と、この取付け板１１を囲う短側板および長側板とで形成された箱型のケース本体１０と、ケース本体１０の短側板に設けられた端子取付け部２０、３０、４０と、圧電トランス本体１に接続されている複数のリード線を接続するために、ケース本体１０の短側板および端子取付け部２０、３０、４０の側板に取り付けられた端子とを備え、端子取付け部２０、３０、４０の長さを長くして、この端子取付け部２０、３０、４０をケース本体１０の短側板から突出させた。【選択図】  図１
2004319716.tif 000002
【特許請求の範囲】
【請求項１】
圧電トランス本体（１）と、
前記圧電トランス本体（１）を取り付けるための取付け板（１１）と、この取付け板（１１）を囲う短側板および長側板とで形成された箱型のケース本体（１０）と、
前記ケース本体（１０）の短側板に設けられた端子取付け部（２０、３０、４０）と、
前記圧電トランス本体（１）に接続されている複数のリード線を接続するために、前記ケース本体（１０）の短側板および前記端子取付け部（２０、３０、４０）に取り付けられた端子とを備え、
前記端子取付け部（２０、３０、４０）の長さを前記短側板の長さに対して長くして、この端子取付け部（２０、３０、４０）を前記ケース本体（１０）の短側板から突出させたことを特徴とする圧電トランス装置。
【請求項２】
圧電トランス本体（１）と、
前記圧電トランス本体（１）を取り付けるための取付け板（１１）と、この取付け板（１１）の両長辺側に設けられた長側板と、この取付け板（１１）の一方の短辺側に設けられた短側板とを備えたケース本体（１０）と、
前記ケース本体（１０）の他方の短辺側に設けられた端子取付け部（２０、３０、４０）と、
前記圧電トランス本体（１）に接続されている複数のリード線を接続するために、前記ケース本体（１０）の短側板および前記端子取付け部（２０、３０、４０）に取り付けられた端子とを備え、
前記端子取付け部（２０、３０、４０）の長さを前記短側板の長さに対して長くして、この端子取付け部（２０、３０、４０）を前記ケース本体（１０）の他方の短辺側から突出させたことを特徴とする圧電トランス装置。
【請求項３】
前記端子取付け部（２０、３０）は先端に向かって傾斜した側板を持ち、前記端子は前記端子取付け部（２０、３０）の傾斜側板に取り付けられたことを特徴とする請求項１または２に記載の圧電トランス装置。
【請求項４】
前記端子取付け部（２０、３０）は三角形状であり、この三角形状の斜辺を形成する側板に前記端子を取り付けたことを特徴とする請求項３に記載の圧電トランス装置。
【請求項５】
前記端子取付け部（２０）は二等辺三角形状であり、この二等辺三角形の２つの等辺を形成する側板に前記端子を取り付けたことを特徴とする請求項４に記載の圧電トランス装置。
【請求項６】
前記端子取付け部（２０、３０、４０）に向かって、ケースのリード線引出し口から案内溝あるいは案内突起を具備したことを特徴とする請求項１〜５のいずれか１項に記載の圧電トランス装置。
【発明の詳細な説明】
【０００１】
【発明の属する技術分野】
本発明は、圧電トランスの圧電トランス本体を収納する圧電トランス装置に関する。
【０００２】
【従来の技術】
圧電トランスは、液晶ディスプレイ点灯用インバータや電源用のＤＣ−ＤＣコンバータ、ＡＣ−ＤＣコンバータ、空気清浄機等の高電圧電源などに使用される。圧電トランスの圧電トランス本体としては、各種のタイプのものが存在する。一般的なものとしては、いわゆる一次ローゼン型または二次ローゼン型の圧電トランス本体が知られている。
【０００３】
この二次ローゼン型の圧電トランス本体を図８に示す。図８の圧電トランス本体１００は、細長い長方形の圧電セラミックス板１０１の一半分の表裏面に、入力側の一次電極１０２をそれぞれ設け、かつ、他半分側の端部に出力側の二次電極１０３を設けた構造である。一次電極１０２にはリード線１０４、１０５がそれぞれ接続され、二次電極１０３にはリード線１０６が接続されている。
【０００４】
圧電トランス本体１００は、基板への取り付けおよび保護のために、図９および図１０に示すように、圧電トランスケース２００に収納される。圧電トランスケース２００は、樹脂製の長方形の箱型をしたケース本体２１０を備えている。ケース本体２１０には圧電トランス本体１００が接着される。ケース本体２１０は長辺側に端子台２１１が設けられている。一方の短辺側に端子台２１２が設けられ、他方の短辺側に端子台２１３が設けられている。
【０００５】
各端子台２１１〜２１３には、金属製の端子２２０、２３０、２４０が取り付けられている。端子２２０には圧電トランス本体１００からのリード線１０５が接続され、端子２３０にはリード線１０４が接続されている。また、端子２４０には圧電トランス本体１００からのリード線１０６が接続されている。ケース本体２１０には案内用突起２１４、２１５が設けられ、案内用突起２１４、２１５がリード線１０４を端子２３０まで案内する。
【０００６】
【発明が解決しようとする課題】
従来の圧電トランスケース２００には、次のような課題がある。つまり、図１１に示すように、圧電トランスケース２００の幅Ｗ１がケース本体２１０の幅Ｗ２に比べて広くなってしまう。これは、端子２２０を取り付けるために端子台２１１（図１０）を、ケース本体２１０の長辺側に設けたためである。圧電トランスケース２００の幅Ｗ１は狭いほうが圧電トランス本体の実装に際して制限を受けることがない。
【０００７】
本発明は、前記の課題を解決し、ケースの全体的な幅を狭くすることができる圧電トランス装置を提供することにある。
【０００８】
【課題を解決するための手段】
前記課題を解決するために、請求項１の発明は、圧電トランス本体と、前記圧電トランス本体を取り付けるための取付け板と、この取付け板を囲う短側板および長側板とで形成された箱型のケース本体と、前記ケース本体の短側板に設けられた端子取付け部と、前記圧電トランス本体に接続されている複数のリード線を接続するために、前記ケース本体の短側板および前記端子取付け部に取り付けられた端子とを備え、前記端子取付け部の長さを前記短側板の長さに対して長くして、この端子取付け部を前記ケース本体の短側板から突出させたことを特徴とする圧電トランス装置である。
請求項２の発明は、圧電トランス本体と、前記圧電トランス本体を取り付けるための取付け板と、この取付け板の両長辺側に設けられた長側板と、この取付け板の一方の短辺側に設けられた短側板とを備えたケース本体と、前記ケース本体の他方の短辺側に設けられた端子取付け部と、前記圧電トランス本体に接続されている複数のリード線を接続するために、前記ケース本体の短側板および前記端子取付け部に取り付けられた端子とを備え、前記端子取付け部の長さを前記短側板の長さに対して長くして、この端子取付け部を前記ケース本体の他方の短辺側から突出させたことを特徴とする圧電トランス装置である。
請求項３の発明は、請求項１または２に記載の圧電トランス装置において、前記端子取付け部は先端に向かって傾斜した側板を持ち、前記端子は前記端子取付け部の傾斜側板に取り付けられたことを特徴とする。
請求項４の発明は、請求項３に記載の圧電トランス装置において、前記端子取付け部は三角形状であり、この三角形状の斜辺を形成する側板に前記端子を取り付けたことを特徴とする。
請求項５の発明は、請求項４に記載の圧電トランス装置において、前記端子取付け部は二等辺三角形状であり、この二等辺三角形の２つの等辺を形成する側板に前記端子を取り付けたことを特徴とする。
請求項６の発明は、請求項１〜５のいずれか１項に記載の圧電トランス装置において、前記端子取付け部に向かって、ケースのリード線引出し口から案内溝あるいは案内突起を具備したことを特徴とする。
【０００９】
【発明の実施の形態】
つぎに、本発明の実施の形態について、図面を参照して詳しく説明する。本実施の形態による圧電トランス装置を図１〜４に示す。図１は本実施の形態による圧電トランス装置の平面を示す平面図であり、図２は図１の背面を示す背面図である。図３は図１の側面を示す側面図であり、図４は図１のＩ−Ｉ断面を示す断面図である。
【００１０】
図１〜４に示す圧電トランス装置は、圧電トランス本体１と圧電トランスケースとで構成されている。圧電トランスケースは、樹脂製の箱型のケース本体１０と、樹脂製の三角形状の端子取付け部２０とで構成されている。ケース本体１０は、圧電トランス本体１を収納するためのものであり、長方形の取付け板１１と、取付け板１１の長辺側に形成された長側板である第１側板１２および第２側板１３と、取付け板１１の短辺側に形成された短側板である第１端板１４および第２端板１５とを備えている。なお、圧電トランス本体１は、圧電セラミックス板やリード線を備える点で図８の圧電トランス本体１００と同じであるが、本実施の形態では圧電セラミックス板の節が中心にある。
【００１１】
圧電トランス本体１の節に対応する取付け板１１の部分には、四角形状の窪み１１Ａが設けられている。窪み１１Ａは、圧電トランス本体１をケース本体１０に収納する際に、接着剤を入れるためのものである。
【００１２】
第２端板１５には、端子取り付け用の端子台１５Ａが設けられている。端子台１５Ａには金属製の端子が取り付けられる。取り付けられる端子は、たとえば図９および図１０に示されるものでもよい。端子には、圧電トランス本体１の二次電極側からのリード線が接続される。第１側板１２には、そのリード線を通すための案内溝１２Ａが設けられている。
【００１３】
また、第１側板１２には、端子取付け部２０に配線するリード線を通すために案内溝１２Ｂが設けられている。さらに、案内溝１２Ｂを通ったリード線を案内するための案内突起１２Ｃが設けられている。同じように、第２側板１３には、端子取付け部２０に配線するリード線を通すために案内溝１３Ａが設けられている。さらに、案内溝１３Ａを通ったリード線を案内するための案内突起１３Ｂが設けられている。これらの案内突起１２Ｃ、１３Ｂはリード線がたわんでケース寸法から大きくはみ出ることを防いでいる。
【００１４】
案内突起１２Ｃ、１３Ｂは次のようにして形成されている。つまり、図５に示すように、第１側板１２および第２側板１３に段差１２１１、１３１１を設け、案内突起１２Ｃ、１３Ｂの高さを段差１２１１、１３１１と同じにしている。これによって、幅Ｗ２の間隔にある第１側板１２および第２側板１３から、つまり、幅Ｗ２のケース本体１０から案内突起１２Ｃ、１３Ｂが突出することはない。
【００１５】
端子取付け部２０は第１端板１４に設けられている。端子取付け部２０は二等辺三角形をした形状である。つまり、二等辺三角形をした平板２１の底辺部分が、取付け板１１の短辺に対して一体的に設けられている。平板２１の２つの等辺には、第１端板１４と同じ高さの側板２２、２３が設けられている。前述した図５に示すように、端子台２２Ａ、２３Ａは、端子取付け部２０の斜辺である側板２２、２３に設けられている。これによって、端子台２２Ａ、２３Ａに端子を取り付けた端子部は、幅Ｗ２のケース本体１０から突出することはない。
【００１６】
端子台に設けられた各端子には、圧電トランス本体１からのリード線がそれぞれ取り付けられる。つまり、圧電トランス本体１の一方の一次電極側からのリード線が、案内溝１２Ｂから外側に出されて案内突起１２Ｃで案内され、端子台の端子に半田付けをされる。同じように、圧電トランス本体１の他方の一次電極側からのリード線が、案内溝１３Ａから外側に出されて案内突起１３Ｂで案内され、端子台２３Ａの端子に半田付けをされる。
【００１７】
本実施の形態による圧電トランスケースは前記の構造である。この構造によれば、端子台２２Ａ、２３Ａが、幅Ｗ２のケース本体１０から突出することがない。さらに、段差１２１１、１３１１を形成した第１側板１２および第２側板１３に案内突起１２Ｃ、１３Ｂを設けたので、端子台２２Ａ、２３Ａと同様に、案内突起１２Ｃ、１３Ｂも幅Ｗ２のケース本体１０から突出することがない。この結果、圧電トランスケースの全体的な幅を狭くすることができる。
【００１８】
以上、本発明の実施の形態を詳述してきたが、具体的な構成は本実施の形態に限られるものではなく、本発明の要旨を逸脱しない範囲の設計の変更等があっても、本発明に含まれる。
【００１９】
たとえば、本実施の形態の端子取付け部２０の代わりに、図６に示す端子取付け部３０を用いてもよい。この場合には、案内突起１３Ｂと段差１３１１とをなくし、段差１２１１を大きくする。さらに、案内突起１２Ｃを高くする。これらの変更は２本のリード線を案内溝１２Ｂから引き出して、端子取付け部３０に配線するためである。
【００２０】
図６では、端子取付け部３０が第１端板１４に設けられている。端子取付け部３０は直角三角形をした形状である。つまり、直角三角形をした平板３１の底辺部分が、取付け板１１の短辺に対して一体的に設けられている。平板３１の斜辺と対辺とには、第１端板１４と同じ高さの側板３２、３３が設けられている。そして、端子台３２Ａ、３２Ｂは、端子取付け部３０の斜辺である側板３２に並べられて設けられている。これによって、端子台３２Ａ、３２Ｂに端子を取り付けた端子部は、幅Ｗ２のケース本体１０から突出することはない。
【００２１】
また、本実施の形態の端子取付け部２０の代わりに、図７に示す端子取付け部４０を用いてもよい。この場合には、図６の直角三角形をした平板３１の代わりに、長方形状の平板４１が取付け板１１の短辺に設けられている。平板４１の長辺と短辺とには、第１端板１４と同じ高さの側板４２〜４４が設けられている。そして、端子台４２Ａ、４２Ｂは、端子取付け部４０の長辺である側板４２に並べられて設けられている。これによって、端子台４２Ａ、４２Ｂに端子を取り付けた端子部は、幅Ｗ２のケース本体１０から突出することはない。
【００２２】
また、本実施の形態では、圧電トランス本体１の節が１つの場合について説明したが、節が２つ以上でも本発明の適用が可能である。さらに、端子取付け部２０、３０、４０が覆う短側板の部分、つまり、端子取付け部２０、３０、４０とケース本体１０とを仕切る部分を除いて開口としてもよい。
【００２３】
【発明の効果】
以上、説明したように、請求項１、２の発明によれば、ケース本体に比べて幅の狭い端子取付け部を側板に形成し、この端子取付け部に端子を取り付けたので、ケース本体の幅の範囲に端子を収めて取り付けることができる。つまり、請求項１、２の発明により、ケースの全体的な幅を狭くすることができる。また、請求項３〜５の発明により、端子取付け部を三角形状にしたので、端子取付け部の形状を小型にすることができる。
請求項６の発明によれば、リード線用の案内溝あるいは案内突起を設けたので、リード線がたわんでケース寸法から大きくはみ出ることを防ぐことができる。
【図面の簡単な説明】
【図１】本発明の実施の形態による圧電トランス装置の平面を示す平面図である。
【図２】図１の背面を示す背面図である。
【図３】図１の側面を示す側面図である。
【図４】図１のＩ−Ｉ断面を示す断面図である。
【図５】案内突起の形成について説明する説明図である。
【図６】端子取付け部の変形例を示す平面図である。
【図７】端子取付け部の変形例を示す平面図である。
【図８】圧電トランス本体を示す斜視図である。
【図９】従来の圧電トランスケースに圧電トランス本体を収納する様子を示す平面図である。
【図１０】図９の背面を示す背面図である。
【図１１】従来の圧電トランスケースを説明するための説明図である。
【符号の説明】
１  圧電トランス本体
１０  ケース本体
１１  取付け板
１１Ａ  窪み
１２  第１側板
１２１１、１３１１  段差
１２Ａ、１２Ｂ、１３Ａ  案内溝
１２Ｃ、１３Ｂ  案内突起
１３  第２側板
１４  第１端板
１５  第２端板
１５Ａ  端子台
２０、３０、４０  端子取付け部
２１、３１、４１  平板
２２、２３、３２、３３、４２〜４４  側板
２２Ａ、２３Ａ、３２Ａ、３２Ｂ、４２Ａ、４２Ｂ  端子台
【図１】
2004319716.tif 000003
【図２】
2004319716.tif 000004
【図３】
2004319716.tif 000005
【図４】
2004319716.tif 000006
【図５】
2004319716.tif 000007
【図６】
2004319716.tif 000008
【図７】
2004319716.tif 000009
【図８】
2004319716.tif 000010
【図９】
2004319716.tif 000011
【図１０】
2004319716.tif 000012
【図１１】
2004319716.tif 000013